(57)【要約】  本発明は、作業ユニフォームパンツとして着用されるパンツなどのようなパンツを提供し、それは、所定の関節可動域にわたって、着用者の快適性、性能、および運動性の著しい改善を提供するように構成されている。パンツの実施形態は、１つまたは複数の伸縮パネルを含み、１つまたは複数の伸縮パネルは、特定のマイクロサイトにおけるパンツの伸縮を提供するように構成されており、向上した運動性を着用者に提供するようになっている。追加的に、パンツのさまざまな部分が一緒に接続される様式は、向上した運動性を着用者に提供するために調節され得る。【選択図】図７
2017522464.tif 000002
【特許請求の範囲】
【請求項１】
向上した運動性のために構成されているパンツにおいて、
第１の脚部分および第２の脚部分であって、前記第１の脚部分および前記第２の脚部分のそれぞれは、前部パネルおよび後部パネルを含む、第１の脚部分および第２の脚部分と、
前記第１の脚部分の前記後部パネルの上のマイクロサイトに位置付けされている少なくとも１つの伸縮パネルと、
前記第２の脚部分の前記後部パネルの上のマイクロサイトに位置付けされている少なくとも１つの伸縮パネルと
を含み、
前記伸縮パネルのそれぞれは、以下の運動、すなわち、（ａ）前屈する、（ｂ）しゃがむ、（ｃ）ひざまずいて捩じる、（ｄ）前方および上方に手を伸ばす、および（ｅ）大きい歩幅で踏み出す運動のうちの１つまたは複数を行うときに、向上した運動性を着用者に提供する、パンツ。
【請求項２】
前記第１の脚部分の前記後部パネルおよび第２の脚部分の前記後部パネルは、実質的に斜め方向のシームによって、上側領域および下側領域にそれぞれ分割されており、前記実質的に斜め方向のシームは、前記パンツの後部シームにある箇所から、前記脚部分の前記外側シームにある箇所へ、下向きに延在している、請求項１に記載のパンツ。
【請求項３】
前記伸縮パネルのそれぞれの下部縁部は、前記実質的に斜め方向のシームのそれぞれに一致しており、前記斜め方向のシームの全長に沿って延在している、請求項２に記載のパンツ。
【請求項４】
前記パンツの前記後部シームにある前記箇所は、前記ウエストバンドの前記下部縁部の下方に、約１５．２４ｃｍ（６インチ）から約２５．４ｃｍ（１０インチ）の間に位置付けされている、請求項３に記載のパンツ。
【請求項５】
前記脚部分の前記外側シームにある前記箇所は、前記ウエストバンドの前記下部縁部の下方に、約３０．４８ｃｍ（１２インチ）から約６０．９６ｃｍ（２４インチ）の間に位置付けされている、請求項４に記載のパンツ。
【請求項６】
前記伸縮パネルのそれぞれの上部縁部の少なくとも一部分は、前記ウエストバンドの前記下部縁部に一致している、請求項３に記載のパンツ。
【請求項７】
前記伸縮パネルのそれぞれの上部縁部の少なくとも別の部分は、前記ウエストバンドの前記下部縁部に一致する上側箇所から、前記脚部分の前記外側シームにある下側箇所へ、実質的に斜め方向に延在している、請求項６に記載のパンツ。
【請求項８】
前記ウエストバンドの前記下部縁部に一致する上側箇所から、前記脚部分の前記外側シームにある下側箇所へ、実質的に斜め方向に延在している、前記伸縮パネルのそれぞれの前記上部縁部の前記部分は、前記脚部の前記外側シームに向けて延在する前に、前記ウエストバンドの下部から、ある距離にわたって実質的に下向きに延在している、請求項７に記載のパンツ。
【請求項９】
前記伸縮パネルのそれぞれの前記外側縁部は、前記脚部の前記外側シームに一致している、請求項５に記載のパンツ。
【請求項１０】
前記伸縮パネルのそれぞれの前記外側縁部は、約２０．３２ｃｍ（８インチ）から約４５．７２ｃｍ（１８インチ）の間の垂直方向の距離にわたって広がっている、請求項９に記載のパンツ。
【請求項１１】
前記伸縮パネルのそれぞれの前記内側縁部は、前記パンツの前記後部シームに一致している、請求項９に記載のパンツ。
【請求項１２】
前記伸縮パネルのそれぞれの前記内側縁部は、約１２．７ｃｍ（５インチ）から約２５．４ｃｍ（１０インチ）の間の垂直方向の距離にわたって広がっている、請求項１１に記載のパンツ。
【請求項１３】
前記第１および第２の伸縮パネルのそれぞれの上側縁部は、前記実質的に斜め方向のシームのそれぞれに一致しており、前記パンツの前記後部シームにある前記箇所から、前記脚部分の前記後部パネルの上に位置付けされている外側箇所へ、下向きに延在している、請求項２に記載のパンツ。
【請求項１４】
前記パンツの前記後部シームにある前記箇所は、前記ウエストバンドの前記下部縁部の下方に、約１７．７８ｃｍ（７インチ）から約３０．４８ｃｍ（１２インチ）の間に位置付けされている、請求項１３に記載のパンツ。
【請求項１５】
前記第１および第２の伸縮パネルのそれぞれの前記上側縁部は、前記実質的に斜め方向のシームに沿って、約１０．１６ｃｍ（４インチ）から約２０．３２ｃｍ（８インチ）の間の距離にわたって広がっている、請求項１４に記載のパンツ。
【請求項１６】
前記第１および第２の伸縮パネルのそれぞれの前記下側縁部は、前記外側箇所から、前記脚部分の前記内側シームにある箇所へ、実質的に斜め方向下向きに延在している、請求項１３に記載のパンツ。
【請求項１７】
前記脚部分の前記内側シームにある前記箇所は、前記パンツの前記クロッチ箇所の下方に、約７．６２ｃｍ（３インチ）から約２０．３２ｃｍ（８インチ）の間に位置付けされている、請求項１６に記載のパンツ。
【請求項１８】
前記第１および第２の伸縮パネルのそれぞれの前記内側縁部の少なくとも一部分は、前記脚部分の前記内側シームに一致している、請求項１６に記載のパンツ。
【請求項１９】
前記パンツは、第３の伸縮パネルおよび第４の伸縮パネルをさらに含み、前記第３の伸縮パネルは、前記第１の脚部分の前記後部パネルの上のマイクロサイトに位置付けされており、前記第４の伸縮パネルは、前記第２の脚部分の前記後部パネルの上のマイクロサイトに位置付けされている、請求項１６に記載のパンツ。
【請求項２０】
前記第３のおよび第４の伸縮パネルのそれぞれは、前記ウエストバンドの前記下部縁部に一致している上側縁部と、前記実質的に斜め方向のシームに一致している下側縁部との間で、実質的に垂直方向に延在している、請求項１９に記載のパンツ。
【請求項２１】
前記第３のおよび第４の伸縮パネルのそれぞれは、前部縁部から前記脚部分の前記後部パネルの上へ横方向に延在しており、前記前部縁部は、前記脚部分の前記外側シームに一致している、請求項２０に記載のパンツ。
【請求項２２】
前記第１および第２の脚部分の前記前部パネルは、伸縮パネルを含有していない、請求項１に記載のパンツ。
【請求項２３】
前記パンツは、業務用洗濯に耐えるように構成されている、請求項１に記載のパンツ。
【請求項２４】
前記伸縮パネルのそれぞれは、少なくとも約２５％の四方向ストレッチを有している、請求項１に記載のパンツ。
【請求項２５】
前記パンツは、カバーオールのセグメントである、請求項１に記載のパンツ。
【請求項２６】
前記伸縮パネルは、ヨークトラベルの少なくとも１２％の低減を提供するのに効果的である、請求項１に記載のパンツ。
【請求項２７】
前記伸縮パネルは、アンクルトラベルの少なくとも１０％の低減を提供するのに効果的である、請求項１に記載のパンツ。
【発明の詳細な説明】
【技術分野】
【０００１】
本出願は、２０１４年７月３０日に出願された米国仮特許出願第６２／０３１０１５号の優先権を主張しており、その内容全体が、参照により本明細書に組み込まれている。
本技術は、概して、可動範囲にわたって向上した運動性を着用者に提供するように構成されているパンツに関する。
【背景技術】
【０００２】
作業ユニフォーム用に設計されたパンツは、着用者がさまざまな行為を行うときに、さまざまな場所において窮屈でしめつける状態になる傾向がある。多くの仕事において、これらの行為は、周期的に繰り返されるので、作業パンツの窮屈でしめつける状態は、大きな不快感の源であることが多い。しかし、作業ユニフォーム用に設計されたパンツの耐久性要件および保護特質は、以前から、向上した運動性を提供する作業パンツの設計を妨げてきた。
【発明の概要】
【課題を解決するための手段】
【０００３】
本発明は、作業ユニフォームパンツとして着用されるパンツなどのようなパンツを提供し、それは、所定の関節可動域にわたって、着用者の快適性、性能、および運動性の著しい改善を提供するように構成されている。パンツのいくつかの実施形態は、１つまたは複数の伸縮パネルを含み、１つまたは複数の伸縮パネルは、特定のマイクロサイト（ｍｉｃｒｏｓｉｔｅ）におけるパンツの伸縮を提供するように構成されており、許容可能な耐久性および着用者のための保護を維持しながら、同時に、向上した運動性を着用者に提供するようになっている。
【０００４】
パンツの実施形態は、第１の脚部分および第２の脚部分と、第１の脚部のマイクロサイトに位置付けされている１つまたは複数の伸縮パネルと、第２の脚部のマイクロサイトに位置付けされている１つまたは複数の伸縮パネルとを含み、伸縮パネルのそれぞれは、たとえば、以下の運動、すなわち、（ａ）前屈する、（ｂ）しゃがむ、（ｃ）ひざまずいて捩じる、（ｄ）前方および上方に手を伸ばす、および（ｅ）大きい歩幅で踏み出す運動のうちの１つまたは複数を行うときに、向上した運動性を着用者に提供するようになっている。また、いくつかの実施形態では、パンツは、業務用洗濯に耐えるように構成されている。また、いくつかの実施形態では、パンツは、カバーオール（ｃｏｖｅｒａｌｌ）のセグメントである。
【０００５】
いくつかの実施形態では、伸縮パネルのそれぞれは、第１のアームおよび第２のアームを含む。第１のアームは、脚部の外側を向く側またはその近くから、脚部の内側を向く側に向けて、脚部の前部を横切って横方向に延在しており、また、着用者の膝頭に整合するか、または、着用者の膝頭のわずかに上方になるように構成されている。第２のアームは、脚部の長さに沿って下向きに延在しており、脚部の外側を向く側またはその近くに位置付けされている。伸縮パネルの第１のアームおよび伸縮パネルの第２のアームは、角部エリアから延在し、角部エリアにおいて一致しており、角部エリアは、すなわち、第１のアームの一部および第２のアームの一部の両方であると考えられ得る領域である。
【０００６】
脚部分のそれぞれは、前部パネルおよび後部パネルを含むことが可能である。前部パネルおよび後部パネルは、少なくとも外側シームによって接合されており、通常は、外側シームおよび内側シームによって接合されている。いくつかの実施形態では、伸縮パネルの第１のアームは、外側シームと内側シームとの間で、脚部の前部パネルを横切って延在している。いくつかの実施形態では、第２のアームは、外側シームに沿って、前部パネルの上を下向きに延在している。
【０００７】
いくつかの実施形態では、伸縮パネルの第１のアームは、角部エリアの反対側の端部において、先端部に収束することが可能である。たとえば、第１のアームは、上部縁部および下部縁部を含むことが可能である。上部縁部は、脚部の前部を横切って実質的に水平方向に延在することが可能であり、下部縁部は、先端部において上部縁部と出会うように、（上部縁部に向けて）上向きに角度を付けられ得る。同様に、伸縮パネルの第２のアームは、角部エリアの反対側の端部において、先端部に収束することが可能である。たとえば、第２のアームは、外側縁部および内側縁部を含むことが可能である。外側縁部は、脚部の長さに沿って実質的に垂直方向に延在することが可能であり、内側縁部は、先端部において外側縁部と出会うように、脚部の外側に向けて（および、外側縁部に向けて）角度を付けられ得る。いくつかの実施形態では、第１のアームの下部縁部および第２のアームの内側縁部は、約９０度から約１１０度の間にある角度を形成している。
【０００８】
いくつかの実施形態では、伸縮パネルのそれぞれは、パンツの前部の上の上側先端部、および、パンツの後部の下側先端部、ならびに、前部縁部および後部縁部を含む。伸縮パネルは、脚部の前部の上側先端部から、脚部の背面の下側先端部へ、斜め方向に延在しており、先の尖った楕円形に似ている形状を形成していることが多い。伸縮パネルは、着用者の大腿部に位置付けされるように構成されている。いくつかの実施形態では、この伸縮パネルは、約１．２７ｃｍ（０．５インチ）から約６．３５ｃｍ（２．５インチ）の間の最大幅を有している。
【０００９】
脚部分のそれぞれは、前部パネルおよび後部パネルを含むことが可能である。前部パネルおよび後部パネルは、少なくとも外側シームによって接合されており、通常は、外側シームおよび内側シームによって接合されている。いくつかの実施形態では、外側シームは、上記に説明されている先の尖った楕円形伸縮パネルによって分割されている。したがって、外側シームは、伸縮パネルの上側先端部と下側先端部との間で２つのシームになり、２つのシームは、伸縮パネルによって分離されている。伸縮パネルの上側先端部と下側先端部との間で脚部の外側シームを構成する２つのシームは、伸縮パネルの前部縁部および後部縁部に一致している。
【００１０】
いくつかの実施形態では、外側シームは、それが伸縮パネルによって分割されている場所を除いて、パンツ脚部のサイドに沿って垂直方向に走っている。換言すれば、外側シームが伸縮パネルに出会う場所以外において、外側シームは、たとえば標準的な作業パンツに見られるような従来のシームであることが可能である。他の実施形態では、外側シームは、伸縮パネルの上方および／または下方に非従来型の経路を有することが可能である。たとえば、いくつかの実施形態では、外側シームは、脚部のサイドを標準的な様式で実質的に垂直方向下向きに走っていることが可能であり、次いで、パンツの前部に向けて湾曲することが可能であり、伸縮パネルの上側先端部に一致するようになっている。伸縮パネルの上側先端部は、標準的な外側シームの前方に位置付けされているので、これは、拡張されたバックパネル部分を形成している。追加的に、いくつかの実施形態では、外側シームは、伸縮パネルの下側先端部から、脚部の下部縁部へ、実質的に垂直方向に走っていることが可能である。伸縮パネルの下側先端部は、標準的な外側シームの後方に位置付けされているので、拡張された前部パネル部分が形成されている。
【００１１】
脚部分のそれぞれは、前部パネルおよび後部パネルを含むことが可能である。前部パネルおよび後部パネルは、少なくとも外側シームによって接合されており、通常は、外側シームおよび内側シームによって接合されている。いくつかの実施形態では、第１の脚部分および第２の脚部分のそれぞれの上に位置付けされている１つまたは複数の伸縮パネルは、それぞれの脚部分の後部パネルの上に全体的にそれぞれ位置付けされ得る。したがって、前部から見たときに、パンツは、従来の作業パンツなどのような従来のパンツの外観を有することが可能である。
【００１２】
いくつかの実施形態では、第１の脚部分および第２の脚部分のそれぞれの後部パネルは、実質的に斜め方向のシームを含むことが可能であり、それは、それぞれの後部パネルを上側領域および下側領域に分離している。それぞれの実質的に斜め方向のシームは、パンツの後部シームにあるかまたはその近くにある共通の箇所から、脚部分の外側シームにあるかまたはその近くにある箇所へ、下向きおよび外向きの方向に斜め方向に延在している。実質的に斜め方向のシームは、パンツの尻の部分の上の１つまたは複数のマイクロサイトにおいて、または、それを横切って、１つまたは複数の伸縮パネルを位置決めするために使用され得る。
【００１３】
いくつかの実施形態では、脚部の後部部分の上の実質的に斜め方向のシームは、伸縮パネルの下部縁部を画定することが可能である。伸縮パネルの上部縁部は、第１の部分および第２の部分を含むことが可能である。伸縮パネル上部縁部の第１の部分は、パンツウエストバンドのシームに一致していることが可能である。伸縮パネル上部縁部の第２の部分は、第１の部分から、すなわち、パンツウエストバンドのシームにある箇所から、脚部の外側シームにある箇所へ、下向きに方向および外向きに方向に、実質的に斜め方向に延在することが可能である。いくつかの実施形態では、たとえば、伸縮パネル上部縁部の第２の部分は、脚部の外側シームに向けて下向きにおよび外向きに延在する前に、ウエストバンドから、ある距離にわたって、実質的に下向きに延在することが可能である。伸縮パネルの外側縁部は、脚部の外側シームに一致していることが可能であり、伸縮パネルの内側縁部は、パンツの後部シームに一致していることが可能である。いくつかの実施形態では、パンツの尻の部分は、第１および第２の脚部のそれぞれの上に、実質的に同一の伸縮パネルを含むことが可能であり、伸縮パネルは、パンツの後部シームに関して対称的に配設されている。
【００１４】
いくつかの実施形態では、脚部の後部部分の上の実質的に斜め方向のシームは、伸縮パネルの上部縁部を画定することが可能である。いくつかの実施形態では、たとえば、伸縮パネルの上部縁部は、実質的に斜め方向のシームがパンツの後部シームと出会う箇所から、脚部の後部パネルの上に位置付けされている外側箇所へ、実質的に斜め方向のシームに沿って、下向きにおよび外向きに延在することが可能である。パンツの後部シームにある箇所は、たとえば、伸縮パネルが特定のマイクロサイトに一致するように選択され得る。また、伸縮パネルは、脚部の後部パネルの上に位置付けされている外側箇所から脚部の内側シームにある箇所へ延在する下部縁部を含むことが可能である。たとえば、下部縁部は、外側箇所から脚部の内側シームへ下向きにおよび内向きに斜め方向に走っていることが可能である。伸縮パネルの前部縁部は、脚部分の内側シームに一致していることが可能である。いくつかの実施形態では、パンツの尻の部分は、第１および第２の脚部のそれぞれの上に、実質的に同一の伸縮パネルを含むことが可能であり、伸縮パネルは、パンツの後部シームに関して対称的に配設されている。
【００１５】
いくつかの実施形態では、上記段落において説明されている伸縮パネルは、それぞれの脚部の後部パネルの上に位置付けされている追加的な伸縮パネルと組み合わせられ得る。それぞれの追加的な伸縮パネルは、上部縁部と下部縁部との間に実質的に垂直方向に延在することが可能であり、上部縁部は、ウエストバンドの下部に一致しているか、または、ウエストバンドの下部の近くにあり、また、下部縁部は、実質的に斜め方向のシームに一致しているか、または、実質的に斜め方向のシームの近くにある。追加的な伸縮パネルは、脚部の外側シームにおいて、または、脚部の外側シームの近くで、脚部の後部パネルの上に位置決めされ得る。たとえば、伸縮パネルの前部縁部は、脚部分の外側シームに一致しているか、または、脚部分の外側シームの近くにあることが可能である。伸縮パネルのバック縁部は、脚部の後部パネルの上に位置付けされ得る。
【００１６】
１つまたは複数の実施形態の利点および特徴の明確な概念が、図面に図示されている、例示的な、したがって非限定的な実施形態を参照して、より容易に明らかになることとなる。
【図面の簡単な説明】
【００１７】
【図１】図１Ａは、本明細書で説明されているパンツの実施形態の上にマイクロサイトを位置付けするために使用される５つの動作のうちの１つである、前屈する動作の説明図である。図１Ｂは、本明細書で説明されているパンツの実施形態の上にマイクロサイトを位置付けするために使用される５つの動作のうちの１つである、しゃがむ動作の説明図である。図１Ｃは、本明細書で説明されているパンツの実施形態の上にマイクロサイトを位置付けするために使用される５つの動作のうちの１つである、ひざまずいて捩じる動作の説明図である。図１Ｄは、本明細書で説明されているパンツの実施形態の上にマイクロサイトを位置付けするために使用される５つの動作のうちの１つである、前方および上方に手を伸ばす動作の説明図である。図１Ｅは、本明細書で説明されているパンツの実施形態の上にマイクロサイトを位置付けするために使用される５つの動作のうちの１つである、大きな歩幅の動作の説明図である。
【図２】図２Ａは、より高い運動性を着用者に提供するように構成されているパンツの実施形態の前面図である。図２Ｂは、より高い運動性を着用者に提供するように構成されているパンツの実施形態の後面図である。図２Ｃは、より高い運動性を着用者に提供するように構成されているパンツの実施形態の側面図である。
【図３】より高い運動性を着用者に提供するように構成されているパンツの実施形態の斜視図である。
【図４】図４Ａは、前屈する動作を受けるときに、より高い運動性を着用者に提供する、図２に示されている実施形態の斜視図である。図４Ｂは、しゃがむ動作を受けるときに、より高い運動性を着用者に提供する、図２に示されている実施形態の斜視図である。図４Ｃは、ひざまずいて捩じる動作を受けるときに、より高い運動性を着用者に提供する、図２に示されている実施形態の斜視図である。図４Ｄは、大きな歩幅の動作を受けるときに、より高い運動性を着用者に提供する、図２に示されている実施形態の斜視図である。
【図５】図５Ａは、より高い運動性を着用者に提供するように構成されているパンツの実施形態の前面図である。図５Ｂは、より高い運動性を着用者に提供するように構成されているパンツの実施形態の後面図である。図５Ｃは、より高い運動性を着用者に提供するように構成されているパンツの実施形態の側面図である。
【図６】図６Ａは、前屈する動作を受けるときに、より高い運動性を着用者に提供する、図５に示されている実施形態の斜視図である。図６Ｂは、しゃがむ動作を受けるときに、より高い運動性を着用者に提供する、図５に示されている実施形態の斜視図である。図６Ｃは、ひざまずいて捩じる動作を受けるときに、より高い運動性を着用者に提供する、図５に示されている実施形態の斜視図である。図６Ｄは、大きな歩幅の動作を受けるときに、より高い運動性を着用者に提供する、図５に示されている実施形態の斜視図である。
【図７】より高い運動性を着用者に提供するように構成されているパンツの実施形態の後方斜視図である。
【図８】図８Ａは、より高い運動性を着用者に提供するように構成されているパンツの実施形態の前面図である。図８Ｂは、より高い運動性を着用者に提供するように構成されているパンツの実施形態の後面図である。図８Ｃは、より高い運動性を着用者に提供するように構成されているパンツの実施形態の側面図である。
【図９】図９Ａは、前屈する動作を受けるときに、より高い運動性を着用者に提供する、図７および図８に示されている実施形態の斜視図である。図９Ｂは、しゃがむ動作を受けるときに、より高い運動性を着用者に提供する、図７および図８に示されている実施形態の斜視図である。図９Ｃは、ひざまずいて捩じる動作を受けるときに、より高い運動性を着用者に提供する、図７および図８に示されている実施形態の斜視図である。図９Ｄは、大きな歩幅の動作を受けるときに、より高い運動性を着用者に提供する、図７および図８に示されている実施形態の斜視図である。
【図１０】より高い運動性を着用者に提供するように構成されているパンツの実施形態の後方斜視図である。
【図１１】図１１Ａは、より高い運動性を着用者に提供するように構成されているパンツの実施形態の前面図である。図１１Ｂは、より高い運動性を着用者に提供するように構成されているパンツの実施形態の後面図である。図１１Ｃは、より高い運動性を着用者に提供するように構成されているパンツの実施形態の側面図である。
【図１２】図１２Ａは、前屈する動作を受けるときに、より高い運動性を着用者に提供する、図１０および図１１に示されている実施形態の斜視図である。図１２Ｂは、しゃがむ動作を受けるときに、より高い運動性を着用者に提供する、図１０および図１１に示されている実施形態の斜視図である。図１２Ｃは、ひざまずいて捩じる動作を受けるときに、より高い運動性を着用者に提供する、図１０および図１１に示されている実施形態の斜視図である。図１２Ｄは、大きな歩幅の動作を受けるときに、より高い運動性を着用者に提供する、図１０および図１１に示されている実施形態の斜視図である。
【発明を実施するための形態】
【００１８】
向上した運動性を着用者に提供する作業ユニフォーム用に設計されたパンツを提供するために、本発明者らは、いくつかの実施形態を開発した。いくつかの実施形態では、パンツは、伸縮パネルを含む。他の実施形態では、パンツのさまざまなエレメントの縫い合わせが、新しく開発された。
【００１９】
向上した運動性を提供するように、作業ユニフォーム用に設計されたパンツをどのように構成させるかということを決定するために、本発明者らは、着用者の運動に応答して、米国特許出願第１４，０６６，５０１号に一般的に説明されている、衣類を設計するためのプロセスを使用した。米国特許出願第１４，０６６，５０１号の全体は、完全に下記に述べられているかのように、参照により本明細書に組み込まれている。簡潔に言えば、そのプロセスは、衣類着用者によって、コーナー使用パターン（ｃｏｒｎｅｒ  ｕｓａｇｅ  ｐａｔｔｅｒｎｓ）および使用位置を識別するステップと、モーションキャプチャーフォトグラフィーにおいて使用されるマーカーを被験者の素肌に取り付けるステップと、被験者がコーナー使用パターンおよび使用位置を繰り返している間に、被験者の位置および動作データをコンピューターシステムによって記録するステップと、位置および動作データを処理し、被験者の素肌の伸張エリアおよび圧縮エリアを識別するオポチュニティーマップ（ｏｐｐｏｒｔｕｎｉｔｙ  ｍａｐ）を生成させるステップと、被験者によって着用されている標準的な作業用衣類にマーカーを取り付けるステップと、被験者がコーナー使用パターンおよび使用位置を繰り返している間に、被験者によって着用されている衣類の衣類構築データを記録するステップと、衣類構築データを分析し、衣類の伸張エリアおよび圧縮エリアを識別するプロブレムマップ（ｐｒｏｂｌｅｍ  ｍａｐ）を生成させるステップと、オポチュニティーマップおよびプロブレムマップに基づいて、運動性マップを生成させるステップと、運動性マップを使用して、引っ張りおよびしめつける状態を低減させるパンツ設計を生成させるステップとを含む。
【００２０】
重要な身体の動作および位置は、想定されるパンツの着用者により異なり得るが（たとえば、大工は、１セットの関連の身体の動作を有する可能性があるが、一方、れんが職人は、異なる関連のセットを有しており、一方、引っ越し業者は、異なる関連のセットを有している）、プロセスは、本発明の実施形態を準備するために、５つのはっきりと異なる動作のセットにわたって適用された。図１Ａ〜図１Ｅに図示されているように、５つの動作は、（Ａ）前屈する、（Ｂ）しゃがむ、（Ｃ）ひざまずいて捩じる、（Ｄ）前方および上方に手を伸ばす、および、（Ｅ）大きい歩幅で踏み出すということである。これらの動作は、それぞれの作業場にいる広範囲の想定される着用者にとってのコーナー（ｃｏｒｎｅｒ）であると考えられたので、選択された。たとえば、これらの動作は、なかでも、箱を持ち上げるとき、トラックの中に乗り込むとき、および、品物を棚の上に置くときに行われる動作を再現している。
【００２１】
運動性マッピングプロセスを使用して、いくつかのマイクロサイトが識別された。米国特許出願第１４，０６６，５０１号に定義されているように、「マイクロサイト」は、一般的に、所定の可動範囲にわたる運動性の改善のための、衣類の上の特定の場所である。
【００２２】
これらのマイクロサイトを使用して、発明者らは、上記に説明されている数々の動作を行うときの着用者の快適性、性能、および運動性の著しい改善を提供する、いくつかの独特で新しいパンツの実施形態を開発した。
【００２３】
作業パンツ１は、少なくとも、第１の脚部分２または第１の脚部、および、第２の脚部分または第２の脚部を含む。また、作業パンツ１は、典型的に、ウエストバンド３および締結メカニズム４を含み、締結メカニズム４は、たとえば、ボタン、ジッパー、およびスナップなどを含むことが可能である。また、作業パンツ１は、典型的に、前部ポケット５および１つまたは複数の後部ポケット６を含む。たとえば、アスレチックギアとは対照的に、作業パンツ１は、一般的に、身体にぴったりしておらず、すなわち、それは、身体に一致しているということを意味していない。むしろ、作業パンツ１は、典型的に、実質的にゆったりとしているということを意味している。また、それが果たす異なる機能に起因して、作業パンツ１を構築する際に使用される１つまたは複数の材料は、一般的に、アスレチックギアを構築する際に使用されるものとは非常に異なっている。
【００２４】
作業パンツ１の実施形態では、それぞれの脚部２は、典型的に、前部パネル７および後部パネル８を含む。前部パネル７および後部パネル８は、少なくとも外側シーム９によって、より典型的には、外側シーム９および内側シーム１０によって、一緒に接合されている。外側シーム９は、その名前が暗示するように、脚部の外側を向く側に位置付けされており、脚部の外側長さに沿って長手方向に走っている。内側シーム１０は、脚部の内側を向く側に位置付けされており、脚部の内側長さに沿って長手方向に走っている。標準的な作業パンツ１では、外側シーム９および内側シームは、脚部の前部と脚部の後部との間の分割線であると考えられ得る。
【００２５】
また、作業パンツ１は、前部シーム１１および後部シーム１２を含む。前部シーム１１は、第１の脚部の前部パネル７と第２の脚部の前部パネル７を分離している。前部シーム１１は、脚部内側シーム１０の上方に位置付けされており、パンツの前部に沿ってウエストバンド３へ垂直方向上向きに走っている。前部シーム１１は、典型的に、フライ１３を含み、フライ１３は、着用している間に留められ、または、着るためおよび脱ぐために開けられ得る。後部シーム１２は、第１の脚部の後部パネル８と第２の脚部の後部パネル８を分離している。後部シーム１２は、脚部内側シーム１０の上方に位置付けされており、パンツの尻の部分に沿ってウエストバンド３へ垂直方向上向きに走っている。典型的に、後部シーム１２は、パンツの尻の部分において中央に位置付けされている。それぞれの脚部の内側シーム１０は、クロッチシーム１５において前部シーム１１および後部シーム１２と交差しており、クロッチシーム１５は、着用している間にクロッチの底部に位置付けされている。
【００２６】
本パンツ１のいくつかの実施形態では、外側シーム９は、非従来型の経路を有することが可能である。それらの実施形態では、標準的な外側シームによって形成されることとなるラインは、依然として、脚部の前部と脚部の後部との間の概念的分割線として当業者によって理解されるべきである。これは、脚部の後部に部分的に存在する前部パネル７、および／または、脚部の前部に部分的に存在する後部パネル８を結果として生じさせ得る。
【００２７】
脚部の外側は、本明細書で特定の図面において提供されている側面図などのように、パンツが側部から見られるときに見ることができる脚部の部分として理解されるべきである。脚部の内側は、脚部の外側の反対側にある脚部の部分として理解されるべきである。
【００２８】
パンツ１の実施形態は、家庭洗濯プロセスにおいて使用される条件よりも厳しい条件の下で、洗濯に耐えることができるように構成され得る。たとえば、いくつかの実施形態では、パンツ１を構成する１つまたは複数の生地は、業務用洗濯に耐えることができるということが重要である場合がある。さまざまな分野における多くの作業者は、ユニフォームレンタルプログラムを通して作業着を得る。ユニフォームレンタルプログラムによって提供される衣類は、業務用洗濯として知られるプロセスによって洗浄される。業務用洗濯は、ＩＳＯ１５７９７およびＩＳＯ３００２３などのような、ＩＳＯ（国際標準化機構）標準によって規定される標準のセットを満たさなければならない。たとえば、典型的に約４８．８９℃（１２０°Ｆ）で行われる家庭洗濯プロセスとは対照的に、業務用洗濯は、少なくとも６５．５６〜７１．１１℃（１５０〜１６０°Ｆ）の温度で行われる。また、業務用洗濯は、家庭洗濯プロセスにおいて使用されるものよりも強力な化学薬品の使用を必要とする。業務用洗濯において使用される化学薬品は、典型的に、強力なアルカリ性成分および強力な界面活性剤を含む。また、肌を刺激することとならないレベルに衣類のｐＨを持っていくために、酸が使用され得る。また、多くの業務用洗濯プロセスは、漂白化合物および／または脱塩素化合物などのような、薬剤による処理を含む追加的なステップを用いる。結果として、業務用洗濯のより極端な条件に耐えるように構成されていない生地は、上記のプロセスによってしばしば損傷受ける場合がある。パンツ１の実施形態は、ユニフォームレンタルプログラムを通して作業者に提供され得るということが企図される。したがって、パンツ１の実施形態は、業務用洗濯に耐えることができるように構成され得る。
【００２９】
本発明のパンツ１の実施形態は、１つまたは複数の伸縮パネル２０、３０、７０、８０、９０を含み、１つまたは複数の伸縮パネル２０、３０、７０、８０、９０は、着用者の快適性、性能、および運動性において著しい改善を提供する１つまたは複数のマイクロサイトとしての役割を果たすように構成されている。
【００３０】
本発明の実施形態の１つまたは複数の伸縮パネル２０、３０、７０、８０、９０は、パンツの残りの部分に使用される材料よりも程度がより高い伸縮性を有するそれぞれ材料を含む。材料の伸縮性は、生地伸縮率によって定義され得、生地伸縮率は、ＡＳＴＭ  Ｄ２５９４として標準化されている伸び回復法（ｓｔｒｅｔｃｈ  ａｎｄ  ｒｅｃｏｖｅｒｙ  ｍｅｔｈｏｄ）を使用して計算される。パンツの実施形態の伸縮パネルは、好ましくは、少なくとも約２％、代替的に、少なくとも約５％、代替的に、少なくとも約１０％、代替的に、少なくとも約１５％、代替的に、少なくとも約２０％、代替的に、少なくとも約３０％、および、代替的に、少なくとも約４０％の生地伸縮率を有している。いくつかの実施形態では、たとえば、伸縮パネルは、約２０％から約３０％の間の、約３０％から約４０％の間の、または、４０％よりも大きい、生地伸縮率を有することが可能である。
【００３１】
また、伸縮性は、伸縮力が加えられる方向にしたがって定義され得る。二方向ストレッチ生地は、１つの方向（たとえば、縦方向または横方向のいずれか）に伸縮し、一方、四方向ストレッチ生地は、両方の方向（縦方向および横方向）に伸縮する。本明細書で説明されている伸縮パネル２０、３０、７０、８０、９０の実施形態は、二方向ストレッチ生地、四方向ストレッチ生地、および、それらの組み合わせを含むことが可能である。いくつかの実施形態では、伸縮パネルは、少なくとも約２％、代替的に、少なくとも約５％、代替的に、少なくとも約１０％、代替的に少なくとも約１５％、代替的に、少なくとも、約２０％、代替的に、少なくとも約３０％、および、代替的に、少なくとも約４０％の生地伸縮率を両方の方向に有する四方向ストレッチ材料などのような、四方向ストレッチ材料を含む。いくつかの実施形態では、たとえば、伸縮パネルは、約２０％から約３０％の間の、約３０％から約４０％の間の、または、４０％よりも大きい、生地伸縮率を両方の方向に有することが可能である。
【００３２】
たとえば、いくつかの実施形態では、伸縮可能な生地は、ポリエステル、コットン、およびスパンデックスのブレンドを含むことが可能である。ポリエステル、コットン、およびスパンデックスのブレンドは、たとえば、特別に、業務用洗濯に耐えるように構成され得る。上記の開示を考慮すると、当業者は、本明細書で提示されている実施形態の伸縮パネル２０、３０、７０、８０、９０において使用され得るさまざまな伸縮可能な生地を理解することとなり、また、それらを選択することができるということが考えられる。
【００３３】
伸縮パネル２０、３０、７０、８０、９０は、当業者によって理解されることとなる従来の方法によって、パンツのベース材料に接合され得る。たとえば、伸縮パネル２０、３０、７０、８０、９０は、縫製によってパンツのベース材料に接合され得る。それに限定されないが、オーバーステッチ、アンダーステッチ、チェーンステッチ、ロックステッチ、およびフラットステッチなどを含む、任意の従来の縫い合わせ方法が使用され得る。
【００３４】
いくつかの実施形態では、伸縮パネル２０、３０、７０、８０、９０は、それを伸縮させる動作を受けていないときには、実質的に隠され得る。たとえば、パンツ１は、１つまたは複数のフラップを含むことが可能であり、１つまたは複数のフラップは、伸縮パネル２０、３０、７０、８０、９０をカバーし、伸縮パネルが、それを伸縮させる動作を受けていないときには、実質的に隠され得るようになっている。フラップは、望ましくは、パンツ１のベース材料から作製され得、また、伸縮パネル２０、３０、７０、８０、９０のエリアにおいて、追加的な保護エレメントを着用者に提供することが可能である。
【００３５】
また、いくつかの実施形態では、１つまたは複数の伸縮パネル２０、３０、７０、８０、９０は、向上した熱管理特性を有するパンツを提供するように構成され得る。たとえば、いくつかの実施形態では、１つまたは複数の伸縮パネル２０、３０、７０、８０、９０は、パンツのベース材料よりも大きい、湿気を逃がす特性を有することが可能である。また、いくつかの実施形態では、１つまたは複数の伸縮パネル２０、３０、７０、８０、９０は、パンツのベース材料よりも大きい空気透過性を有することが可能である。衣服に関連して使用されるときに、空気透過性は、「通気性」として説明されることが多い。また、生地の空気透過性は、その乾燥時間にも密接に関連している。したがって、１つまたは複数の伸縮パネル２０、３０、７０、８０、９０が、向上した湿気を逃がす特性および向上した空気透過性の両方を提供するように構成されている、いくつかの実施形態では、１つまたは複数の伸縮パネルの向上した空気透過性は、生地の外側面に逃がされる湿気を乾燥させることを支援し、生地の湿気を逃がす機能を向上させることが可能である。
【００３６】
追加的に、本発明は、パンツ１に関するものとして、本明細書で説明されているが、いくつかの実施形態では、本明細書で説明されているパンツ１は、カバーオールなどのような全身ユニフォームのセグメントであることも可能であるということが理解されるべきである。カバーオール下部セグメントの一般的なコンポーネントのいくつかは、独立型の作業パンツ１とはわずかに異なる形態をとり得るが、本明細書で説明されている独立型のパンツのいずれかの運動性を向上する特徴は、当業者によって理解されることとなるように、カバーオールの下部セグメントに等しく適用可能であり得る。したがって、本明細書で使用されているようなパンツという用語は、独立型のパンツに限定されず、むしろ、たとえば、カバーオールのパンツ部分を含むように理解されるべきである。
【００３７】
本発明の実施形態が、図２Ａから図２Ｃに図示されている。図２Ａから図２Ｃに図示されている実施形態は、第１の脚部２のマイクロサイトに位置付けされている第１の伸縮パネル２０と、第２の脚部のマイクロサイトに位置付けされている第２の伸縮パネルとを含む。伸縮パネル２０のそれぞれは、第１のアーム２１および第２のアーム２２を含む。第１のアーム２１および第２のアーム２２のそれぞれは、角部エリア２３から延在し、角部エリア２３で一致している。第１のアーム２１および第２のアーム２２のそれぞれのスパンを説明する目的のために、角部エリア２３は、第１のアーム２１の一部および第２のアーム２２の一部の両方であると考えられ得る。角部エリア２３は、脚部の外側に位置付けされ、好ましくは、脚部の前部パネル７の上に位置付けされ得る。たとえば、角部エリア２３は、前部パネル７の一部分の上にあることが可能であり、また、外側シーム９に接していることが可能である。
【００３８】
第１のアーム２１は、脚部２の前部を横切って横方向に延在している。第１のアーム２１の長さは、パンツ１のサイズおよび使用目的に応じて選択され、伸縮パネル２０の寸法（ひいては、衣類の中に使用されるストレッチ材料の量）を最小化しながら、同時に、所望の量の伸縮性をパンツに提供することが可能である。図２Ａに図示されているものなどのような、いくつかの実施形態では、第１のアーム２１は、たとえば、外側シーム９に接している角部エリア２３から内側シームへ、前部パネル７の全体を横切って広がっている。たとえば、製造の観点からすれば、第１のアーム２１が内側シームに接触し、それによって、パンツ脚部の前部を２つの部分に分割することが好ましい場合がある。他の実施形態では、第１のアーム２１は、前部パネルの全体を横切って延在していなくてもよいが、角部エリアから数センチメートル（インチ）にわたって延在していてもよい。
【００３９】
第１のアーム２１は、好ましくは、それが着用者の膝頭のわずかに上方になるように構成されている。たとえば、第１のアーム２１は、それが着用者の膝頭の上方に１０．１６ｃｍ（４インチ）未満、代替的に７．６２ｃｍ（３インチ）未満、代替的に５．０８ｃｍ（２インチ）未満に位置付けされるように構成され得る。第１のアーム２１が膝頭に整合することも可能であるが、特に、しゃがむときまたはひざまずくときに、伸縮パネルを脚部の前部に接続するシームが不快感を生み出す可能性があるので、この実施形態は、より好適ではない。
【００４０】
第１のアーム２１は、上側縁部２４および下側縁部２５を含む。いくつかの実施形態では、第１のアーム２１は、角部エリア２３の反対側の端部において、先端部２６に収束しており、すなわち、上側縁部２４および下側縁部２５は、先端部２６において出会うように一緒になる。たとえば、いくつかの実施形態では、第１のアーム２１は、それが脚部の内側に向けて移動するにしたがって、連続的に幅が狭くなり、脚部の内側において、それが先端部２６において終端する。これは、たとえば、上側縁部２４および下側縁部２５が両方とも互いに向けて角度を付けられている場合に起こることが可能である。また、それは、上側縁部２４および下側縁部２５のうちの一方が、脚部２の前部を横切って実質的に水平方向に走っており、上側縁部および下側縁部のうちの他方が、先端部２６において水平方向の縁部とともに収束するように角度を付けられている場合に、起こることが可能である。たとえば、いくつかの実施形態では、第１のアームの上側縁部２４は、脚部２の前部を横切って実質的に水平方向に走っており、第１のアームの下側縁部２５は、第１のアーム２１が脚部の内側に向けて移動するにしたがって、上側縁部に接近するように角度を付けられている。
【００４１】
第１のアーム２１の最大幅、すなわち、第１のアームの上側縁部２４と下側縁部２５との間を横切る最も遠い距離は、パンツ１のサイズおよび使用目的に応じて選択され、伸縮パネル２０の寸法（ひいては、衣類の中に使用されるストレッチ材料の量）を最小化しながら、同時に、所望の量の伸縮性をパンツに提供することが可能である。いくつかの実施形態では、第１のアーム２１は、１２．７ｃｍ（５インチ）未満、代替的に７．６２ｃｍ（３インチ）未満の最大幅を有している。いくつかの実施形態では、第１のアームは、約１．２７ｃｍ（０．５インチ）から約７．６２ｃｍ（３インチ）の間の、代替的に、約１．２７ｃｍ（０．５インチ）から約６．３５ｃｍ（２．５インチ）の間の最大幅を有している。
【００４２】
第２のアーム２２は、角部エリア２３から長手方向下向きに延在している。角部エリア２３と同様に、第２のアーム２２は、脚部の外側に位置付けされ、好ましくは、脚部の前部パネル７の上に位置付けされ得る。たとえば、第２のアーム２２は、前部パネル７の一部分の上にあることが可能であり、また、外側シーム９に接していることが可能である。
【００４３】
第２のアーム２２は、外側縁部２７および内側縁部２８を含む。いくつかの実施形態では、第２のアーム２２は、角部エリア２３の反対側の端部において、先端部２９に収束しており、すなわち、内側縁部２８および外側縁部２７は、先端部２９において出会うように一緒になる。たとえば、いくつかの実施形態では、第２のアーム２２は、それが先端部２９において終端するまで、それが脚部２に沿って下向きに移動するにしたがって、連続的に幅が狭くなっている。これは、たとえば、内側縁部２８および外側縁部２７が両方とも互いに向けて角度を付けられている場合に起こることが可能である。また、それは、上内側縁部２８および外側縁部２７のうちの一方が、脚部２の実質的に垂直方向下向きに走っており、内側縁部２８および外側縁部２７のうちの他方が、先端部２９において垂直方向の縁部とともに収束するように角度を付けられている場合に、起こることが可能である。たとえば、いくつかの実施形態では、第２のアームの外側縁部２７は、脚部２の実質的に垂直方向下向きに、たとえば、外側シーム９に沿って走っており、第２のアームの内側縁部２８は、第２のアーム２２が脚部を下向きに移動するにしたがって、外側縁部に接近するように角度を付けられている。
【００４４】
第２のアーム２２の最大幅、すなわち、第２のアーム内側縁部２８と外側縁部２７との間を横切る最も遠い距離は、パンツ１のサイズおよび使用目的に応じて選択され、伸縮パネル２０の寸法（ひいては、衣類の中に使用されるストレッチ材料の量）を最小化しながら、同時に、所望の量の伸縮性をパンツに提供することが可能である。いくつかの実施形態では、第２のアーム２２は、１２．７ｃｍ（５インチ）未満、代替的に７．６２ｃｍ（３インチ）未満の最大幅を有している。いくつかの実施形態では、第２のアームは、約１．２７ｃｍ（０．５インチ）から約７．６２ｃｍ（３インチ）の間の、代替的に、約１．２７ｃｍ（０．５インチ）から約６．３５ｃｍ（２．５インチ）の間の最大幅を有している。
【００４５】
第２のアーム２２の長さは、パンツ１のサイズおよび使用目的に応じて選択され、伸縮パネル２０の寸法（ひいては、衣類の中に使用されるストレッチ材料の量）を最小化しながら、同時に、所望の量の伸縮性をパンツに提供することが可能である。いくつかの実施形態では、第２のアーム２２は、脚部２の長さに沿って短い距離にわたってトラベルすることが可能である。たとえば、いくつかの実施形態では、第２のアーム２２は、角部２３の上部から最下点まで、約１５．２４ｃｍ（６インチ）から約５０．８ｃｍ（２０インチ）の間の、代替的に、約１７．７８ｃｍ（７インチ）から約３８．１ｃｍ（１５インチ）の間の距離に広がっている。１つのそのような実施形態が、たとえば、図２Ａから図２Ｃに図示されている。
【００４６】
図３に図示されているものなどのような他の実施形態では、第２のアーム２２は、脚部２の長さに沿ってさらに延在することが可能である。たとえば、第２のアーム２２は、脚部の下部縁部１９までずっと延在することが可能である。いくつかの実施形態では、伸縮パネル２０の第２のアーム２２は、脚部１９の下部縁部において、または、脚部１９の下部縁部の近くで、幅が広くなっており、または、外向きにフレアが付けられ得る。この実施形態は、説明されている関節可動域にわたって、着用者の運動性に対して追加的な効果をほとんど有していないが、作業ブーツなどのようなブーツにおいて、および、ブーツの周りで、パンツ脚部２の伸縮性の追加的な利益を提供することが可能である。
【００４７】
角部エリア２３における第１のアーム２１および第２のアーム２２の交差点は、鋭くなっていてもよいし、または、丸みを帯びていてもよい。たとえば、いくつかの実施形態では、第１のアームの下側縁部２５は、第２のアームの内側縁部２８とともに、点を形成することが可能である。代替的に、第１のアームの下側縁部２５は、下向きに湾曲していることが可能であり、また、第２のアームの内側縁部２８は、内向きに湾曲していることが可能であり、交差点が丸みを帯びているようになっている。いくつかの実施形態では、第１のアームの下側縁部２５および第２のアームの内側縁部２８は、約９０度から約１２０度の間の、代替的に、約９０度から約１１０度の間の、代替的に、約９５度から約１０５度の間の角度αを形成することが可能である。上記に説明されているように、交差点が丸みを帯びている場合に、角度αは、当業者によって理解されることとなるように、縁部２５、２８のそれぞれを概念的に延長し、鋭い角度を形成することによって、測定され得る。
【００４８】
運動性マッピングプロセスに適用される運動に応答して、上記に説明されているような実施形態の伸縮が、図４Ａから図４Ｄに示されている。図示されている実施形態は、脚部２の前部を横切って横方向に延在する第１のアーム２１と、脚部の外側において下向きに延在する第２のアーム２２とを有する伸縮パネル２０を含む。着用者が関節可動域の運動を行うときに、伸縮パネル２０は、特定のマイクロサイトにおいてパンツ１の伸縮を提供し、着用者の快適性、性能、および運動性の著しい改善を提供するようになっている。
【００４９】
本発明の別の実施形態が、図５Ａから図５Ｃに図示されている。図５Ａから図５Ｃに図示されている実施形態は、第１の脚部２のマイクロサイトに位置付けされている第１の伸縮パネル３０と、第２の脚部のマイクロサイトに位置付けされている第２の伸縮パネルとを含む。伸縮パネル３０のそれぞれは、脚部の前部の上の上側先端部３１（図５Ａを参照）から、脚部の後部の上の下側先端部３２（図５Ｂを参照）へ延在するように構成されている。上記に述べられているように、脚部の前部および脚部の後部は、標準的なサイドシームによって、または、パンツ１が標準的なサイドシームを含まない場合には、標準的なサイドシームと同じ場所を有するように企図される分割線（たとえば、図５Ｃの中の参照符号１８として図示されているものなど）によって、分離され得る。
【００５０】
また、伸縮パネル３０は、前方縁部３３および後方縁部３４を含み、そのそれぞれは、上側先端部３１から下側先端部３２へ広がっている。前方縁部３３および後方縁部３４は、好ましくは、上側先端部３１から実質的に中央の箇所に向けて移動するときに、および、下側先端部３２から実質的に中央の箇所に向けて移動するときに、互いにから分岐している。したがって、前方縁部３３および後方縁部３４は、好ましくは、上側先端部３１と下側先端部３２との実質的に中間にある伸縮パネル３０の一部分に位置付けされている最大距離だけ、互いから間隔を離して配置されている。この実施形態では、伸縮パネル３０は、先の尖った楕円形の形状をとることが可能である。
【００５１】
それぞれの伸縮パネル３０の最大幅、すなわち、前方縁部３３と後方３４縁部との間を横切る最も遠い距離は、パンツ１のサイズおよび使用目的に応じて選択され、伸縮パネル３０の寸法（ひいては、衣類の中に使用されるストレッチ材料の量）を最小化しながら、同時に、所望の量の伸縮性をパンツに提供することが可能である。いくつかの実施形態では、伸縮パネル３０は、１２．７ｃｍ（５インチ）未満、代替的に７．６２ｃｍ（３インチ）未満の最大幅を有している。いくつかの実施形態では、伸縮パネルは、約１．２７ｃｍ（０．５インチ）から約７．６２ｃｍ（３インチ）の間の、代替的に、約１．２７ｃｍ（０．５インチ）から約６．３５ｃｍ（２．５インチ）の間の最大幅を有している。
【００５２】
伸縮パネルは、着用者の大腿部に位置付けされるように構成されている。たとえば、上側先端部３１は、ウエストバンドの下方に約１０．１６ｃｍ（４インチ）から約３８．１ｃｍ（１５インチ）の間にあるように、または、パンツがポケットを含む場合には、ポケットのわずかに下方にあるように構成され得る。下側先端部３２は、好ましくは、着用者の膝頭に整合するように、または、着用者の膝頭のわずかに上方にあるように構成されている。
【００５３】
また、それぞれの伸縮パネル３０の長さは、パンツ１のサイズおよび使用目的に応じて選択され、伸縮パネル３０の寸法（ひいては、衣類の中に使用されるストレッチ材料の量）を最小化しながら、同時に、所望の量の伸縮性をパンツに提供することが可能である。いくつかの実施形態では、それぞれの伸縮パネル３０は、約１０．１６ｃｍ（４インチ）から約３８．１ｃｍ（１５インチ）の間の、代替的に、約１２．７ｃｍ（５インチ）から約３３．０２ｃｍ（１３インチ）の間の、代替的に、約１５．２４ｃｍ（６インチ）から約３０．４８ｃｍ（１２インチ）の間の長さを有している。
【００５４】
いくつかの実施形態では、それぞれの脚部２は、前部パネル７および後部パネル８を含む。前部パネル７および後部パネル８は、外側シーム９および内側シームにおいて、たとえば縫製などによって接合されている。いくつかの実施形態では、外側シーム９は、それが伸縮パネル３０に接触している場所を除いて、標準的なパンツと同様に、脚部の下部縁部１９からウエストバンド３まで垂直方向に走っている。
【００５５】
他の実施形態では、外側シーム９は、追加的な運動性向上を提供するように再構成され得る。たとえば、図５Ａから図５Ｃに図示されている実施形態は、伸縮パネル３０の上側先端部３１と下側先端部３２との間で分割される外側シーム９を含む。このように、伸縮パネル３０は、外側シーム９の一部分に沿って伸縮性を提供する。いくつかの実施形態では、外側シーム９は、伸縮パネル３０の上方の一部分４１にわたって、脚部のサイドを実質的に垂直方向下向きに走っていることが可能である。たとえば、外側シーム９は、脚部の上部から、たとえば、ウエストバンド３から、少なくとも、前部ポケット５が外側シームに接触するかまたは当接する箇所まで、垂直方向に走っていることが可能である。次いで、外側シーム９は、一部分４２にわたって、パンツ脚部の前部に向けて湾曲することが可能であり、伸縮パネルの上側先端部３１に一致するようになっている。外側シーム９が前方に湾曲することは、拡張された後部パネル部分５１を生成させる。換言すれば、後部パネル５１の一部分が、パンツ脚部の前部の中へ延在している。
【００５６】
また、外側シーム９は、伸縮パネル３０の下方の一部分４３にわたって、脚部のサイドを垂直方向下向きにまたは実質的に垂直方向下向きに走っていることが可能である。たとえば、外側シーム９は、伸縮パネル３０の下側先端部３２から、または、伸縮パネル３０の下側先端部３２の近くから、脚部１９の下部縁部へ、実質的に垂直方向に広がっていることが可能である。伸縮パネルの下側先端部３２は、脚部の後部の上に位置付けされているので、外側シームのこの部分４３は、パンツ脚部の後部の上に、すなわち、標準的なサイドシーム１８に整合するように企図される分割線の後方に、位置付けされることとなる。部分４３の垂直方向のまたは実質的に垂直方向のスパンは、拡張された前部パネル部分５２を生成させる。換言すれば、前部パネル５２の一部分が、パンツ脚部の後部の中へ延在している。
【００５７】
運動性マッピングプロセスに適用される運動に応答して、上記に説明されているような実施形態の伸縮が、図６Ａから図６Ｄに示されている。図示されている実施形態は、パンツ脚部の前部の上の上側先端部３１からパンツ脚部の後部の上の下側先端部３２へ広がる伸縮パネル３０を含む。着用者が関節可動域の運動を行うときに、伸縮パネル３０は、特定のマイクロサイトにおいてパンツ１の伸縮を提供し、着用者の快適性、性能、および運動性の著しい改善を提供するようになっている。
【００５８】
本パンツ１のいくつかの実施形態では、それぞれの脚部２の後部パネル８は、実質的に斜め方向のシーム６０によって、上側部分１６と下側部分１７との間で分割され得る。実質的に斜め方向のシーム６０は、実質的に斜め方向のシーム６０がパンツ１２の後部シームと交差する箇所６１から、実質的に斜め方向のシームが脚部の外側シーム９と交差する箇所６２まで延在している。一般的に、実質的に斜め方向のシーム６０が後部シーム１２と交差する箇所６１は、パンツ１の上において、実質的に斜め方向のシームが脚部の外側シーム９と交差する箇所６２よりも高い箇所に位置付けされている。したがって、実質的に斜め方向のシーム６０は、箇所６１から箇所６２へ下向きおよび外向きに延在していると言うことが可能である。
【００５９】
実質的に斜め方向のシーム６０を含むということは、とりわけ、パンツの尻の部分に、および／または、クロッチ領域の中に位置付けされている、１つまたは複数のマイクロサイトに関して、向上した運動性を提供する、伸縮パネル７０、８０、９０の設置を提供する。また、それは、運動性と耐久性のバランスをとる伸縮パネル７０、８０、９０を含むということを提供し、伸縮パネルは、パンツの耐久性の低下なしに運動性の向上を提供するように構成されている。
【００６０】
Ｙ−実施形態
本発明の実施形態が、図７から図９に図示されている。図７から図９に図示されている実施形態は、第１の脚部２のマイクロサイトに位置付けされている第１の伸縮パネル７０と、第２の脚部のマイクロサイトに位置付けされている第２の伸縮パネルとを含む。伸縮パネル７０のそれぞれは、下部縁部７１から上向きに延在するように構成されており、下部縁部７１は、実質的に斜め方向のシーム６０に一致している。したがって、伸縮パネル７０は、脚部の後部パネル８の上側部分１６の上に全体的に位置付けされている。いくつかの実施形態では、それぞれの伸縮パネル７０の下部縁部７１は、その全体長さに沿って、実質的に斜め方向のシーム６０に一致するように構成されている。換言すれば、伸縮パネル７０の下部縁部７１は、箇所６１（箇所６１において、実質的に斜め方向のシーム６０が、パンツ１２の後部シームと交差している）から箇所６２（箇所６２において、実質的に斜め方向のシームが、脚部９の外側シームと交差している）まで、下向きにおよび外向きに広がるように構成され得る。
【００６１】
箇所６１の場所、たとえば、ウエストバンド３の下部からの箇所６１の距離は、パンツのサイズに応じて、幅広く変化することが可能である。いくつかの実施形態では、たとえば、箇所６１は、後部シーム１２がウエストバンドと交差する箇所から測定したときに、ウエストバンド３の下部の下方に、約１０．１６ｃｍ（４インチ）から約４８．２６ｃｍ（１９インチ）の間に位置決めされ得る。代替的に、箇所６１は、ウエストバンド３の下部の下方に約１０．１６ｃｍ（４インチ）から約３８．１ｃｍ（１５インチ）の間に、代替的に、ウエストバンドの下部の下方に約１２．７ｃｍ（５インチ）から約３０．４８ｃｍ（１２インチ）の間に、代替的に、ウエストバンドの下部の下方に約１２．７ｃｍ（５インチ）から約２５．４ｃｍ（１０インチ）の間に、代替的に、ウエストバンドの下部の下方に約１５．２４ｃｍ（６インチ）から約２２．８６ｃｍ（９インチ）の間に、位置決めされ得る。
【００６２】
同様に、箇所６２の場所、たとえば、ウエストバンド３の下部からの箇所６２の距離は、パンツのサイズに応じて、幅広く変化することが可能である。いくつかの実施形態では、たとえば、箇所６２は、脚部９の外側シームがウエストバンドと交差する箇所から測定したときに、ウエストバンド３の下部の下方に、約２５．４ｃｍ（１０インチ）から約６３．５ｃｍ（２５インチ）の間に位置決めされ得る。代替的に、箇所６２は、ウエストバンド３の下部の下方に約２７．９４ｃｍ（１１インチ）から約６０．９６ｃｍ（２４インチ）の間に位置決めされ、代替的に、ウエストバンドの下部の下方に約３０．４８ｃｍ（１２インチ）から約６０．９６ｃｍ（２４インチ）の間に位置決めされ、代替的に、ウエストバンドの下部の下方に約３３．０２ｃｍ（１３インチ）から約５８．４２ｃｍ（２３インチ）の間に位置決めされ、代替的に、約３８．１ｃｍ（１５インチ）から約５８．４２ｃｍ（２３インチ）の間に位置決めされ、代替的に、約４０．６４ｃｍ（１６インチ）から約５５．８８ｃｍ（２２インチ）の間に位置決めされ得る。
【００６３】
いくつかの実施形態では、実質的に斜め方向のシーム６０、および、したがって、伸縮パネル７０の下部縁部７１は、真っ直ぐな線を形成していなくてもよい。たとえば、図７〜図９に図示されている実施形態に示されているように、伸縮パネル７０の下部縁部７１は、それが脚部の外側シーム９に接近するのにしたがって、下向きに湾曲していることが可能である。この構成は、伸縮パネル７０の一部分が、外側大腿部の下へ追加的な距離にわたって延在するということ、および、伸縮パネル７０の一部分が、外側大腿部の領域に位置付けされている１つまたは複数のマイクロサイトを横切って追加的な運動性を提供するように設計されているということを提供する。他の実施形態では、たとえば、伸縮パネルの下部縁部７１が、外側シーム９に接近するにしたがってより真っ直ぐな線で連続するということによって、伸縮パネルのこの追加的な部分が除去され得る。追加的に、他の（図示されていない）実施形態では、実質的に斜め方向のシーム、および、したがって、伸縮パネル７０の下部縁部７１は、図７〜図９に図示されている実施形態よりも真っ直ぐになっているか、または、真っ直ぐになっていないかのいずれかであることが可能であり、また、下向き方向または上向き方向のいずれかに湾曲または屈曲することが可能である。
【００６４】
伸縮パネル７０の上部縁部７２は、パンツ１２の後部シームと脚部９の外側シームとの間に延在している。図７〜図９に図示されている実施形態などのような、いくつかの実施形態では、伸縮パネル７０の上部縁部７２は、第１の縁部部分７３および第２の縁部部分７４を含むことが可能である。
【００６５】
第１の縁部部分７３は、ウエストバンド３の下部に一致しており、すなわち、ウエストバンドを取り付けるために使用されているシームに一致していることが可能である。第１の縁部部分７３の長さは、パンツのサイズに応じて、幅広く変化することが可能である。たとえば、第１の縁部部分７３は、約１．２７ｃｍ（０．５インチ）から約２０．３２ｃｍ（８インチ）の間の距離、代替的に、約２．５４ｃｍ（１インチ）から約１５．２４ｃｍ（６インチ）の間の距離、代替的に、約２．５４ｃｍ（１インチ）から約１２．７ｃｍ（５インチ）の間の距離、代替的に、約２．５４ｃｍ（１インチ）から約１０．１６ｃｍ（４インチ）の間の距離にわたって、パンツ１２の後部シームから横方向に外向きに延在し、ウエストバンドの下部に一致していることが可能である。
【００６６】
第２の縁部部分７４は、第１の縁部部分７３の端部から、それが脚部の外側シーム９と交差するまで、下向きにおよび外向きに、実質的に斜め方向に延在することが可能である。第２の縁部部分７４がパンツの外側シーム９と交差する場所は、パンツのサイズに応じて、幅広く変化することが可能である。たとえば、第２の縁部部分７４が脚部の外側シーム９と交差する箇所は、外側シームがウエストバンドと交差する箇所から測定したときに、ウエストバンド３の下部の下方に、約５．０８ｃｍ（２インチ）から約３５．５６ｃｍ（１４インチ）の間にあることが可能である。代替的に、第２の縁部部分７４が脚部の外側シーム９と交差する箇所は、ウエストバンドの下部の下方に約７．６２ｃｍ（３インチ）から約３０．４８ｃｍ（１２インチ）の間にあり、代替的に、ウエストバンドの下部の下方に約７．６２ｃｍ（３インチ）から約２５．４ｃｍ（１０インチ）の間にあり、代替的に、ウエストバンドの下部の下方に約１０．１６ｃｍ（４インチ）から約２０．３２ｃｍ（８インチ）の間にあることが可能である。
【００６７】
いくつかの実施形態では、伸縮パネル７０の上部縁部７２の実質的に斜め方向の第２の部分７４は、真っ直ぐな線を形成していなくてもよい。たとえば、図７〜図９に図示されている実施形態に示されているように、伸縮パネル上部縁部７２の第２の部分７４は、外向きに湾曲する前に、ある距離にわたってウエストバンドから実質的に下向きに延在することが可能であり、脚部の外側シーム９まで、下向きにおよび外向きに延在するようになっている。他の（図示されていない）実施形態では、伸縮パネル上部縁部７２の第２の部分７４は、図７〜図９に図示されている実施形態よりも真っ直ぐになっているかまたは湾曲しているかのいずれかであることが可能であり、また、下向き方向または上向き方向のいずれかに湾曲または屈曲することが可能である。
【００６８】
代替的な（図示されていない）実施形態では、伸縮パネル７０の上部縁部７２は、上記に説明されているように、第１の縁部部分７３および第２の縁部部分７４を含まないことも可能である。むしろ、上部縁部７２は、パンツ１２の後部シームから脚部９の外側シームまで、単に、下向きにおよび外向きに延在することが可能である。たとえば、上部縁部７２は、パンツの後部シームがウエストバンド３の下部と交差する箇所において、パンツ１２の後部シームから延在することが可能である。代替的に、上部縁部７２は、ウエストバンド３の直ぐ下方にある、パンツ１２の後部シームの箇所から延在し、たとえば、ウエストバンドの下部から約５．０８ｃｍ（２インチ）以内または約２．５４ｃｍ（１インチ）以内にある箇所から延在することが可能である。
【００６９】
伸縮パネル７０の幅、すなわち、伸縮パネルの上部縁部７２（とりわけ、図示されている実施形態では、上部縁部の第２の部分７４）と下部縁部７１との間の距離は、パンツ１のサイズおよび使用目的に応じて選択され、伸縮パネル７０の寸法（ひいては、衣類の中に使用されるストレッチ材料の量）を最小化しながら、同時に、所望の量の伸縮性をパンツに提供することが可能である。伸縮パネル７０の幅は、測定が行われる箇所に応じて変化することが可能であるが、脚部の後方中央（すなわち、パンツ１２の後部シームと脚部９の外側シームとの中間）における幅が、一般的な指標として使用され得る。いくつかの実施形態では、たとえば、脚部の後方中央における伸縮パネル７０の幅は、約５．０８ｃｍ（２インチ）から約３０．４８ｃｍ（１２インチ）の間にあり、代替的に、約７．６２ｃｍ（３インチ）から約２５．４ｃｍ（１０インチ）の間にあり、代替的に、約１０．１６ｃｍ（４インチ）から約２０．３２ｃｍ（８インチ）の間にあることが可能である。
【００７０】
また、伸縮パネル７０は、外側縁部７５および内側縁部７６を含むことが可能である。伸縮パネルの外側縁部７５は、好ましくは、脚部の外側シーム９に一致している。一般的に、外側縁部７５の長さは、パンツのサイズに応じて、幅広く変化することが可能である。また、外側縁部７５の長さは、パンツのサイズおよび使用目的に応じて選択され、伸縮パネル７０の寸法（ひいては、衣類の中に使用されるストレッチ材料の量）を最小化しながら、同時に、所望の量の伸縮性を提供することが可能である。たとえば、外側縁部７５は、約１２．７ｃｍ（５インチ）から約６０．９６ｃｍ（２４インチ）の間にある垂直方向の距離、代替的に、約１５．２４ｃｍ（６インチ）から約５０．８ｃｍ（２０インチ）の間にある垂直方向の距離、代替的に、約２０．３２ｃｍ（８インチ）から約４０．６４ｃｍ（１６インチ）の間にある垂直方向の距離、代替的に、約２５．４ｃｍ（１０インチ）から約３５．５６ｃｍ（１４インチ）の間にある垂直方向の距離にわたって延在している。
【００７１】
伸縮パネルの内側縁部７６は、好ましくは、パンツの後部シーム１２に一致している。一般的に、外側縁部７５の長さは、パンツのサイズに応じて、幅広く変化することが可能である。また、外側縁部７５の長さは、パンツのサイズおよび使用目的に応じて選択され、伸縮パネル７０の寸法（ひいては、衣類の中に使用されるストレッチ材料の量）を最小化しながら、同時に、所望の量の伸縮性を提供することが可能である。たとえば、伸縮パネルの内側縁部７６は、約７．６２ｃｍ（３インチ）から約３８．１ｃｍ（１５インチ）の間にある垂直方向の距離、代替的に、約１０．１６ｃｍ（４インチ）から約３０．４８ｃｍ（１２インチ）の間にある垂直方向の距離、代替的に、約１２．７ｃｍ（５インチ）から約２５．４ｃｍ（１０インチ）の間にある垂直方向の距離にわたって延在することが可能である。
【００７２】
たとえば、図７〜図９に図示されている実施形態に示されているように、パンツの尻の部分が、第１および第２の脚部のそれぞれの上に、実質的に同一の伸縮パネル７０を含む場合に、伸縮パネル７０は、パンツの尻の部分の上で中央に位置付けされている、逆さまのＹ字の形状を形成することが可能である。伸縮パネル７０は、それが脚部分の後部パネル８の上に全体的に位置決めされるように構成され得る。脚部分の前部パネル７は、伸縮パネルを含有しないように構成され得、従来のパンツと同一の外観を有することが可能である。
【００７３】
たとえば、図７〜図９に図示されている実施形態に示されているように、パンツの尻の部分が、第１および第２の脚部のそれぞれの上に、実質的に同一の伸縮パネル７０を含む場合に、伸縮パネル７０は、本明細書で説明されている可動範囲にわたって、および、とりわけ、しゃがむことおよび大きな歩幅の動作に関して、向上した運動性を提供する。運動性マッピングプロセスの間に使用された運動に応答して、上記に説明されているような実施形態の伸縮が、図９Ａから図９Ｄに示されている。図示されている実施形態は、パンツの尻の部分の上に位置決めされている１対の伸縮パネル７０を含む。着用者が関節可動域の運動を行うときに、伸縮パネル７０は、特定のマイクロサイトにおいてパンツ１の伸縮を提供し、着用者の快適性、性能、および運動性の著しい改善を提供するようになっている。
【００７４】
Ｘ−実施形態
本発明の実施形態が、図１０から図１２に図示されている。図１０から図１２に図示されている実施形態は、第１の脚部２のマイクロサイトに位置付けされている第１の伸縮パネル８０と、第２の脚部のマイクロサイトに位置付けされている第２の伸縮パネル８０とを含む。伸縮パネル８０のそれぞれは、上部縁部８１から下向きに延在するように構成されており、上部縁部８１は、実質的に斜め方向のシーム６０に一致している。したがって、伸縮パネル８０は、脚部の後部パネル８の下側部分１７の上に全体的に位置付けされている。いくつかの実施形態では、それぞれの伸縮パネル８０の上部縁部８１は、箇所６１（箇所６１において、実質的に斜め方向のシーム６０が、パンツ１２の後部シームと交差している）から出発する実質的に斜め方向のシーム６０に一致するように構成されており、外側箇所８２まで下向きにおよび外向きに走っている。
【００７５】
箇所６１の場所、たとえば、ウエストバンド３の下部からの箇所６１の距離は、パンツのサイズに応じて、幅広く変化することが可能である。いくつかの実施形態では、たとえば、箇所６１は、後部シーム１２がウエストバンドと交差する箇所から測定したときに、ウエストバンド３の下部の下方に、約１２．７ｃｍ（５インチ）から約３８．１ｃｍ（１５インチ）の間に位置決めされ得る。代替的に、箇所６１は、ウエストバンドの下部の下方に約１５．２４ｃｍ（６インチ）から約３５．５６ｃｍ（１４インチ）との間にあり、代替的に、ウエストバンドの下部の下方に約１５．２４ｃｍ（６インチ）から約３０．４８ｃｍ（１２インチ）の間にあることが可能である。
【００７６】
外側箇所８２は、箇所６１（箇所６１において、実質的に斜め方向のシーム６０が、パンツ１２の後部シームと交差している）と箇所６２（箇所６２において、実質的に斜め方向のシームが、脚部９の外側シームと交差している）との間の場所で、斜め方向のシーム６０に沿って位置決めされている。箇所８２の場所は、パンツのサイズ、および、伸縮パネル８０の所望のサイズに応じて、幅広く変化することが可能である。いくつかの実施形態では、たとえば、外側箇所８２は、箇所６１からある距離に位置付けされ得（すなわち、伸縮パネルの上部縁部８１は、ある距離にわたって広がっていることが可能である）、それは、斜め方向のシーム６０に沿って、約５．０８ｃｍ（２インチ）から約２５．４ｃｍ（１０インチ）の間にあり、代替的に、約５．０８ｃｍ（２インチ）から約２０．３２ｃｍ（８インチ）の間にあり、代替的に、約７．６２ｃｍ（３インチ）から約１７．７８ｃｍ（７インチ）の間にある。
【００７７】
また、いくつかの実施形態では、伸縮パネル８０は、外側箇所８２がウエストバンド３の下部縁部の下方に特定の距離に位置付けされるように構成され得る。繰り返しになるが、箇所８２の場所は、パンツのサイズに応じて、幅広く変化することとなる。いくつかの実施形態では、たとえば、外側箇所８２は、ウエストバンド３の下部の下方に約１５．２４ｃｍ（６インチ）から約６０．９６ｃｍ（２４インチ）の間にあり、代替的に、ウエストバンドの下部縁部の下方に約１７．７８ｃｍ（７インチ）から約５０．８ｃｍ（２０インチ）の間にあり、代替的に、ウエストバンドの下部縁部の下方に約２０．３２ｃｍ（８インチ）から約３８．１ｃｍ（１５インチ）の間にあり、代替的に、ウエストバンドの下部縁部の下方に約２２．８６ｃｍ（９インチ）から約３３．０２ｃｍ（１３インチ）の間にあることが可能である。
【００７８】
図１０〜図１２に図示されている実施形態では、伸縮パネル８０の上部縁部８１は真っ直ぐであるが、いくつかの実施形態では、上部縁部８１は、真っ直ぐな線を形成していなくてもよい。たとえば、他の（図示されていない）実施形態では、実質的に斜め方向のシーム、および、したがって、伸縮パネル８０の上部縁部８１は、図１０〜図１２に図示されている実施形態よりも真っ直ぐになっていなくてもよく、また、下向き方向または上向き方向のいずれかに湾曲または屈曲することが可能である。
【００７９】
また、伸縮パネル８０は、下部縁部８３を含み、下部縁部８３は、外側箇所８２から脚部分の内側シーム１０にある下側箇所８４まで、下向きにおよび内向きに、実質的に斜め方向に延在している。図１０〜図１２に図示されている実施形態では、伸縮パネル８０の下部縁部８３は真っ直ぐであるが、いくつかの実施形態では、下部縁部８３は、真っ直ぐな線を形成していなくてもよい。たとえば、他の（図示されていない）実施形態では、伸縮パネル８０の下部縁部８３は、図１０〜図１２に図示されている実施形態よりも真っ直ぐになっていなくてもよく、また、下向き方向または上向き方向のいずれかに湾曲または屈曲することが可能である。
【００８０】
下側箇所８４の場所、すなわち、クロッチシーム１５の下方の箇所８４の距離は、パンツのサイズに応じて、幅広く変化することとなる。いくつかの実施形態では、たとえば、箇所８４は、好ましくは、パンツのクロッチシーム１５の下方に約２．５４ｃｍ（１インチ）から約２５．４ｃｍ（１０インチ）の間に位置付けされ、代替的に、約５．０８ｃｍ（２インチ）から約２０．３２ｃｍ（８インチ）の間に位置付けされ、代替的に、約７．６２ｃｍ（３インチ）から約１７．７８ｃｍ（７インチ）の間に位置付けされている。また、下部縁部８３の長さは、パンツのサイズ、ならびに、箇所８２および箇所８４の選択された位置に応じて、変化することとなる。いくつかの実施形態では、たとえば、下部縁部８３は、（箇所８２と箇所８４との間の）距離にわたって広がることが可能であり、それは、約７．６２ｃｍ（３インチ）から約３０．４８ｃｍ（１２インチ）の間にあり、代替的に、約１０．１６ｃｍ（４インチ）から約２５．４ｃｍ（１０インチ）の間にあり、代替的に、約１２．７ｃｍ（５インチ）から約２０．３２ｃｍ（８インチ）の間にある。
【００８１】
外側箇所８２を実質的に斜め方向のシーム６０に沿って所望の場所に位置決めすることによって、および、上部縁部および下部縁部が外側箇所８２において所望の角度を形成するように、伸縮パネル８０を構成させることによって、運動性の著しい改善が、比較的に少量の伸縮性生地を使用して実現され得る。
【００８２】
また、伸縮パネル８０は、内側縁部８５を含む。いくつかの実施形態では、伸縮パネル８０の内側縁部８５の少なくとも一部分は、脚部分の内側シーム１０に一致していることが可能である。たとえば、伸縮パネル８０の内側縁部８５の少なくとも一部分は、箇所８４とパンツのクロッチシーム１５との間で、脚部分の内側シーム１０に沿って走っていることが可能である。伸縮パネルの内側縁部８５の別の部分は、パンツの後部シーム１２に一致していることが可能であり、たとえば、箇所６１とクロッチシーム１５との間で、パンツの後部シーム１２に沿って走っている。いくつかの実施形態では、下側箇所８４とクロッチシーム１５との間の距離は、箇所６１（伸縮パネル８０の上側箇所）とクロッチシームとの間の距離に実質的に等しいことが可能であり、それは、クロッチシームが伸縮パネルの内側縁部８５の中央にまたはその近くになるということを意味している。
【００８３】
伸縮パネル８０は、それらが脚部分の後部パネル８の上に全体的に位置決めされるように構成され得る。脚部分の前部パネル７は、伸縮パネルを含有していなくてもよく、したがって、従来のパンツと同一の外観を有することが可能である。
【００８４】
また、いくつかの実施形態では、パンツのそれぞれの脚部は、１つまたは複数の追加的な伸縮パネル９０を含有することが可能であり、１つまたは複数の追加的な伸縮パネル９０は、外側大腿部において、または、外側大腿部の近くで、脚部の後部パネル８の上に位置付けされている。また、たとえば、パンツは、第１の脚部の外側大腿部における１つまたは複数のマイクロサイトに位置決めされている第３の伸縮パネル９０と、第２の脚部の外側大腿部における１つまたは複数のマイクロサイトに位置決めされている第４の伸縮パネルとを含むことが可能である。
【００８５】
伸縮パネル９０のそれぞれは、前部縁部９３と後部縁部９４との間の幅にわたって広がっていることが可能である。いくつかの実施形態では、前部縁部９３は、パンツの外側シーム９に一致していることが可能である。したがって、伸縮パネル９０は、それらが脚部分の後部パネル８の上に全体的に位置決めされるように構成され得る。脚部分の前部パネル７は、伸縮パネルを含有していなくてもよく、従来のパンツと同一の外観を有することが可能である。
【００８６】
伸縮パネル９０の幅は、パンツ１のサイズおよび使用目的に応じて選択され、伸縮パネル９０の寸法（ひいては、衣類の中に使用されるストレッチ材料の量）を最小化しながら、同時に、所望の量の伸縮性をパンツに提供することが可能である。たとえば、後部縁部９４は、前部縁部９３から、約１．２７ｃｍ（１／２インチ）から約３０．４８ｃｍ（１２インチ）の間に位置付けされ、代替的に、約１．２７ｃｍ（１／２インチ）から約２５．４ｃｍ（１０インチ）の間に位置付けされ、代替的に、約２．５４ｃｍ（１インチ）から約２０．３２ｃｍ（８インチ）の間に位置付けされ、代替的に、約２．５４ｃｍ（１インチ）から約１５．２４ｃｍ（６インチ）の間に位置付けされ、代替的に、約２．５４ｃｍ（１インチ）から約１２．７ｃｍ（５インチ）の間に位置付けされ得る。
【００８７】
これらの値は、前部縁部９３と後部縁部９４との間の伸縮パネル９０の平均幅であるとして理解されるべきである。図１０〜図１２に図示されている実施形態に示されているように、伸縮パネル９０の後部縁部９４は、完全に垂直方向になっていなくてもよく、したがって、伸縮パネルの幅は変化することが可能である。たとえば、いくつかの実施形態では、伸縮パネル９０が、その上部においてよりも、その下部において、より大きい幅を有するということが望ましい場合がある。この構成は、より少ない伸縮性生地が伸縮パネルの上側端部において使用されることを必要としながら、同時に、実質的に斜め方向のシーム６０が脚部の外側シーム９と交差する箇所６２の近くに位置付けされているマイクロサイトにおいて、十分な量の伸縮性生地を提供する。
【００８８】
箇所６２の場所、たとえば、ウエストバンド３の下部からの箇所６２の距離は、パンツのサイズに応じて、幅広く変化することが可能である。いくつかの実施形態では、たとえば、箇所６２は、脚部９の外側シームがウエストバンドと交差する箇所から測定したときに、ウエストバンド３の下部の下方に、約２５．４ｃｍ（１０インチ）から約６３．５ｃｍ（２５インチ）の間に位置決めされ得る。代替的に、箇所６２は、ウエストバンド３の下部の下方に約２７．９４ｃｍ（１１インチ）から約６０．９６ｃｍ（２４インチ）の間に位置決めされ、代替的に、ウエストバンドの下部の下方に約３０．４８ｃｍ（１２インチ）から約６０．９６ｃｍ（２４インチ）の間に位置決めされ、代替的に、ウエストバンドの下部の下方に約３３．０２ｃｍ（１３インチ）から約５８．４２ｃｍ（２３インチ）の間に位置決めされ、代替的に、約３８．１ｃｍ（１５インチ）から約５８．４２ｃｍ（２３インチ）の間に位置決めされ、代替的に、約４０．６４ｃｍ（１６インチ）から約５５．８８ｃｍ（２２インチ）の間に位置決めされ得る。
【００８９】
伸縮パネル９０のそれぞれは、上部縁部９１と下部縁部９２との間で、実質的に垂直方向に延在する長さを有することが可能である。下部縁部９２は、好ましくは、実質的に斜め方向のシーム６０に一致している。いくつかの実施形態では、たとえば、下部縁部９２は、実質的に斜め方向のシーム６０に沿って、約２．５４ｃｍ（１インチ）から約２０．３２ｃｍ（８インチ）の間に、代替的に、約５．０８ｃｍ（２インチ）から約１５．２４ｃｍ（６インチ）の間に延在することが可能である。
【００９０】
図１０〜図１２に図示されているものなどのように、いくつかの実施形態では、伸縮パネル９０の上部縁部９１（または、いくつかのケースでは、箇所）は、ウエストバンド３の下部縁部に一致していることが可能である。代替的に、伸縮パネル９０は、ウエストバンド３の近くに位置付けされているが、ウエストバンド３には一致していない上部縁部９１を含むことが可能である。たとえば、いくつかの実施形態では、後部縁部９４は、たとえば、ウエストバンドの下部の７．６２ｃｍ（３インチ）以内または５．０８ｃｍ（２インチ）以内など、ウエストバンド３の下方にあるパンツ９の外側シームの箇所において前部縁部９３と交差するように、角度を付けるかまたは湾曲するように構成され得る。代替的に、上部縁部９１は、ウエストバンドの下部から延在するポケットなどのような、ポケットの下部に一致していることが可能である。
【００９１】
たとえば、図１０〜図１２に図示されている実施形態に示されているように、パンツの尻の部分が、第１および第２の脚部のそれぞれの上に、実質的に同一の伸縮パネル８０、９０を含む場合に、伸縮パネル８０、９０は、本明細書で説明されている可動範囲にわたって、および、とりわけ、しゃがむことおよび大きな歩幅の動作に関して、向上した運動性を提供する。運動性マッピングプロセスの間に使用された運動に応答して、上記に説明されているような実施形態の伸縮が、図１２Ａから図１２Ｄに示されている。図示されている実施形態は、パンツの後部の上に位置決めされている１対の伸縮パネル８０、９０を含む。着用者が関節可動域の運動を行うときに、伸縮パネル８０、９０は、特定のマイクロサイトにおいてパンツ１の伸縮を提供し、着用者の快適性、性能、および運動性の著しい改善を提供するようになっている。
【００９２】
試験
本発明の実施形態の有効性を実証するために、運動性試験が実施された。１つのテストでは、複数の被験者が、複数の対のパンツを提供された。それぞれのパンツは、実質的に同じ寸法を有するように設計された。１つのパンツは、コントロールであり、コントロールは、伸縮パネルをまったく含有していなかった。第１のテストパンツは、図７から図９に図示されている実施形態と同じ種類のものであり、それは、パンツの尻の部分の上にマッチング伸縮パネル７０を含有していた。第２のテストパンツは、図１０から図１２に図示されている実施形態と同じ種類ものであり、それは、パンツの尻の部分の上にマッチング伸縮パネル８０、９０を含有していた。次いで、それぞれの被験者は、可動範囲の運動を行っている間に、それぞれの対のパンツを着るように指示された。
【００９３】
１つのテストでは、それぞれの被験者は、図１Ｂに図示されているしゃがむ運動を行うように指示された。しゃがむ運動を行う前に、マーカーが、それぞれの被験者の上において、通常着用時のパンツウエストバンド３の上部に対応する場所に、すなわち、パンツの通常静止位置に設けられた。それぞれの被験者がしゃがむ運動を行っている間に、パンツウエストバンド３の上部の場所が測定された。それぞれの被験者において、しゃがんでいる間に、ウエストバンド３の上部は、その通常静止箇所の下方に位置付けされていた。この効果は、ヨークトラベル（ｙｏｋｅ  ｔｒａｖｅｌ）として知られているものであろう。
【００９４】
それぞれの被験者に関して、コントロールサンプルを着用しているときに生じたヨークトラベルの量が測定され、被験者にわたるトラベルの平均量が計算された。また、第１のテストサンプルおよび第２のテストサンプルのそれぞれを着用しているときに生じたヨークトラベルの量が、それぞれの被験者に関して測定され、被験者にわたるヨークトラベルの平均量が計算された。第１のテストサンプルの平均ヨークトラベルは、コントロールよりも約２２％小さく、また、第２のテストサンプルの平均ヨークトラベルは、コントロールよりも約１５％小さいということが判った。これらの低減のそれぞれは、着用者によって認識されるには極めて十分であった。本発明のいくつかの実施形態は、少なくとも１０％、代替的に少なくとも１２％、代替的に少なくとも１５％、代替的に少なくとも２０％だけ、ヨークトラベルの量を低減させるのに効果的な、伸縮パネル７０、８０、９０などのような伸縮パネルを含有するパンツに関している。
【００９５】
別のテストでは、それぞれの被験者は、図１Ｂおよび図１Ｅにそれぞれ図示されているしゃがむ運動および大きい歩幅の運動のそれぞれを行うように指示された。それぞれの運動を行う前に、マーカーが、それぞれの被験者の上において、通常着用時のパンツ脚部１９の下部縁部に対応する場所に、すなわち、パンツの通常静止位置に設けられた。それぞれの被験者がしゃがむ運動および大きい歩幅の運動を行っている間に、パンツ脚部１９の下部縁部の場所が測定された。それぞれの被験者において、しゃがむ運動および大きい歩幅の運動の間に、パンツ脚部１９の下部縁部は、その通常静止箇所の上方に位置付けされていた。２つの動作にわたってパンツ脚部１９の下部縁部がトラベルした距離が、単一の値を得るために平均され、その値は、その効果を表していた。この効果は、アンクルトラベル（ａｎｋｌｅ  ｔｒａｖｅｌ）として知られているものであろう。
【００９６】
それぞれの被験者に関して、コントロールサンプルを着用しているときに生じたアンクルトラベルの量が測定され、被験者にわたるトラベルの平均量が計算された。また、第１のテストサンプルおよび第２のテストサンプルのそれぞれを着用しているときに生じたアンクルトラベルの量が、それぞれの被験者に関して測定され、被験者にわたるアンクルトラベルの平均量が計算された。第１のテストサンプルの平均ヨークトラベルは、コントロールよりも約１２％小さく、また、第２のテストサンプルの平均アンクルトラベルは、コントロールよりも約１１％小さいということが判った。これらの低減のそれぞれは、着用者によって認識されるには極めて十分であった。本発明のいくつかの実施形態は、少なくとも８％、代替的に少なくとも１０％、代替的に少なくとも１２％だけ、アンクルトラベルの量を低減させるのに効果的な、伸縮パネル７０、８０、９０などのような伸縮パネルを含有するパンツに関している。
【００９７】
上述の効果は、被験者のサイズに応じて変化する傾向がある。したがって、記述されているすべての値は、平均着用者の代表の値であることが意図されている。たとえば、比較的に大きいウエストおよび／または大きい大腿部を有する被験者は、より大きい運動性への影響を見ることが予期され、一方、比較的に小さいウエストおよび／または小さい大腿部を有する被験者は、より小さい運動性への影響を見ることが予期される。
【００９８】
本明細書で説明されおよび／または特許請求されているパンツ１のいずれも、決して、それらが設計または製造されるプロセスによって限定されないということが理解されるべきである。換言すれば、本明細書で説明されおよび／または特許請求されているパンツ１は、上記に説明されている運動性マッピングプロセスを使用して、可動範囲を横切る特定のマイクロサイトを識別することによって部分的に開発されたが、そのプロセスは、決して、必要とされるパンツ自身のコンポーネントまたはエレメントと考えられるべきではない。
【００９９】
説明されている実施形態は、当技術分野のものを上回るいくつかの利点を有する独特で新規なパンツを提供するということが理解され得る。本明細書で示されて説明されている、本発明を具現化する特定の具体的な構造が存在しているが、パーツのさまざまな修正および再配置が、根本的な発明概念の精神および範囲から逸脱することなく行われ得るということ、ならびに、それは、添付の特許請求の範囲によって示されている場合を除き、本明細書で示されて説明されている特定の形態に限定されないということが当業者に明らかになることとなる。
【図１Ａ】
2017522464.tif 000003
【図１Ｂ】
2017522464.tif 000004
【図１Ｃ】
2017522464.tif 000005
【図１Ｄ】
2017522464.tif 000006
【図１Ｅ】
2017522464.tif 000007
【図２Ａ】
2017522464.tif 000008
【図２Ｂ】
2017522464.tif 000009
【図２Ｃ】
2017522464.tif 000010
【図３】
2017522464.tif 000011
【図４Ａ】
2017522464.tif 000012
【図４Ｂ】
2017522464.tif 000013
【図４Ｃ】
2017522464.tif 000014
【図４Ｄ】
2017522464.tif 000015
【図５Ａ】
2017522464.tif 000016
【図５Ｂ】
2017522464.tif 000017
【図５Ｃ】
2017522464.tif 000018
【図６Ａ】
2017522464.tif 000019
【図６Ｂ】
2017522464.tif 000020
【図６Ｃ】
2017522464.tif 000021
【図６Ｄ】
2017522464.tif 000022
【図７】
2017522464.tif 000023
【図８Ａ】
2017522464.tif 000024
【図８Ｂ】
2017522464.tif 000025
【図８Ｃ】
2017522464.tif 000026
【図９Ａ】
2017522464.tif 000027
【図９Ｂ】
2017522464.tif 000028
【図９Ｃ】
2017522464.tif 000029
【図９Ｄ】
2017522464.tif 000030
【図１０】
2017522464.tif 000031
【図１１Ａ】
2017522464.tif 000032
【図１１Ｂ】
2017522464.tif 000033
【図１１Ｃ】
2017522464.tif 000034
【図１２Ａ】
2017522464.tif 000035
【図１２Ｂ】
2017522464.tif 000036
【図１２Ｃ】
2017522464.tif 000037
【図１２Ｄ】
2017522464.tif 000038
【国際調査報告】
2017522464.tif 000039